(57)【特許請求の範囲】
【請求項１】
表示部と、
前記表示部を制御する制御部と、
を備え、
前記制御部の制御の下で、電子広告の複数のコンテンツを前記表示部の異なる位置に同時に表示させることが可能な表示装置であって、
個々の前記コンテンツに対して、当該コンテンツの表示位置を時間的に変更するか否かを、前記コンテンツの一度の表示位置の変更あたりの移動量を含む表示情報として設定可能であり、
前記制御部は、過去の一定時間における前記コンテンツの更新頻度を算出し、算出された前記コンテンツの更新頻度が予め定めた値よりも大きい場合、当該コンテンツに設定された前記表示情報に含まれる前記移動量を小さくし、前記コンテンツを前記表示部に表示させるにあたり、当該コンテンツに設定された前記表示情報を参照して前記表示部の制御を行う、
映像表示装置。
【請求項２】
個々の前記コンテンツに対して、当該コンテンツの表示位置および当該コンテンツの表示サイズを時間的に変更するか否かを表示情報として設定可能である、
請求項１に記載の映像表示装置。
【請求項３】
前記制御部は、前記コンテンツが静止画像のコンテンツである場合、当該コンテンツからコントラストを検出し、検出された前記コントラストの値が予め定めた値よりも大きい場合、当該コンテンツに設定された前記表示情報に含まれる前記移動量を大きくし、検出された前記コントラストの値が予め定めた値よりも小さい場合、前記移動量を小さくする、
請求項１または請求項２に記載の映像表示装置。
【請求項４】
前記複数のコンテンツは、静止画像のコンテンツ、映像のコンテンツ、文字のコンテンツのいずれかを含む、
請求項１から請求項３のいずれか一項に記載の映像表示装置。
【請求項５】
前記制御部は、静止画像のコンテンツに対してのみ、当該コンテンツの表示位置を時間的に変更する制御を行う、
請求項１から請求項３のいずれか一項に記載の映像表示装置。
【請求項６】
記憶媒体インターフェースをさらに備え、
前記制御部は、前記記憶媒体インターフェースを介して前記コンテンツまたは前記表示情報を取得する、
請求項１から請求項５のいずれか一項に記載の映像表示装置。
【請求項７】
ネットワークインターフェースをさらに備え、
前記制御部は、前記ネットワークインターフェースを介して前記コンテンツまたは前記表示情報を取得する、
請求項１から請求項５のいずれか一項に記載の映像表示装置。
【発明の詳細な説明】
【技術分野】
【０００１】
本発明は映像表示装置に関し、特に電子広告表示等に使用する映像表示装置に関する。
【背景技術】
【０００２】
近年の電子広告表示用途に使用する映像表示装置においては、複数の静止画または動画を読み込み、別に保存された設定値に基づいて任意の表示サイズで任意の表示位置に複数の静止画または動画を配置して表示することができる。しかしながら、液晶パネルを使用した映像表示装置においては、特に電子広告表示として静止画を長時間表示した後に違う映像を表示させると、静止画の残像が生じる問題があり表示品質が低下する。このため従来の映像表示装置においては、この残像を軽減するために画像の表示位置を移動させる技術が開示されている（例えば、特許文献１参照）。
【先行技術文献】
【特許文献】
【０００３】
【特許文献１】特開２００６−２３５２４１号公報
【発明の概要】
【発明が解決しようとする課題】
【０００４】
特許文献１の映像表示装置では、表示位置の移動を行うことにより残像を軽減することができるが、表示画面全体を移動するため、画面の移動により画像の一部が欠けたりする問題があった。
【０００５】
また、静止画と動画が同時に表示されている場合に、残像が発生しにくい動画の部分も含めて一律に画像を移動してしまい、視聴者に違和感を与えるという問題があった。静止画であっても、文字が多い場合は画面が移動することにより視認性が低下する。
【０００６】
また、静止画像であっても、製品写真、デザインや企業ロゴなど変形や移動が望ましくない画像もある。さらに、画面全体を移動させるため、文字列を流して表示するテロップ文字の表示領域も移動してしまい、テロップの文字が読み辛いという問題があった。
【０００７】
本発明は以上のような課題を解決するためになされたものであり、複数のコンテンツを同時に表示する映像表示装置において、表示画面への残像の影響を軽減しながらも、視聴者に与える違和感を少なくするとともに、表示されるコンテンツの内容の視認性の低下を抑制する映像表示装置の提供を目的とする。
【課題を解決するための手段】
【０００８】
本発明に係る映像表示装置は、表示部と、表示部を制御する制御部と、を備え、制御部の制御の下で、電子広告の複数のコンテンツを表示部の異なる位置に同時に表示させることが可能な表示装置であって、個々のコンテンツに対して、コンテンツの表示位置を時間的に変更するか否かを、コンテンツの一度の表示位置の変更あたりの移動量を含む表示情報として設定可能であり、制御部は、過去の一定時間におけるコンテンツの更新頻度を算出し、算出されたコンテンツの更新頻度が予め定めた値よりも大きい場合、当該コンテンツに設定された表示情報に含まれる移動量を小さくし、コンテンツを表示部に表示させるにあたり、コンテンツに設定された表示情報を参照して表示部の制御を行う。
【発明の効果】
【０００９】
本発明に係る映像表示装置によれば、個々のコンテンツに対してコンテンツの表示位置を時間的に変更する制御を行うことが可能である。個々のコンテンツに対して移動量を任意に設定することができるため、画面全体を一律に移動させる場合と比較して、コンテンツが画面外に出てコンテンツの一部が欠けて表示されることを抑制することが可能である。例えば、視認性の低下を抑えたいコンテンツに対しては移動量を小さく設定し、画面に残像が残り易いコンテンツに対しては移動量を大きく設定するなど、コンテンツの性質に応じて移動量を設定することが可能である。また、例えば、画像のコンテンツに対しては表示位置を時間的に変更する制御を行う一方で、残像の影響が小さい映像のコンテンツおよび文字テロップを流す文字のコンテンツに対しては表示位置を変更しないように設定することで画面全体として、視聴者に与える違和感を少なくするとともに、コンテンツの視認性の低下を抑えることが可能である。
【図面の簡単な説明】
【００１０】
【図１】本発明の実施形態に係る映像表示装置の構成を示す図である。
【図２】本発明の実施形態に係る映像表示装置の表示画面を示す図である。
【図３】本発明の実施形態に係る映像表示装置の表示スケジュールの内容を示す図である。
【図４】本発明の実施形態に係る映像表示装置の動作を示すフローチャートである。
【図５】本発明の実施形態に係る映像表示装置において表示領域の移動を説明する図である。
【発明を実施するための形態】
【００１１】
＜構成＞
図１は、本実施形態における映像表示装置１００の構成を示す図である。図１に示すように、映像表示装置１００は、制御部１０１、時計部１０２、ネットワークインタ−フェース１０３、記憶媒体インターフェース１０５、ビデオメモリー１０７および表示部１０８を備える。
【００１２】
制御部１０１は、映像表示装置１００全体を制御する。時計部１０２は時刻を計測する。ネットワークインターフェース１０３はネットワークに接続するためのインターフェースである。記憶媒体インターフェース１０５には、メモリーカードなどの記憶媒体１０６が接続可能である。表示部１０８はビデオメモリー１０７から出力された画像を表示する。ビデオメモリー１０７のアドレスは表示画面２００の各画素に一対一で対応しており、ビデオメモリー１０７に書き込まれたデータは表示画面２００の対応する各画素に表示される。
【００１３】
制御部１０１、時計部１０２、第１、第２の経過時間カウンタ１０９，１１０は、例えばＣＰＵ（Ｃｅｎｔｒａｌ  Ｐｒｏｃｅｓｓｉｎｇ  Ｕｎｉｔ）が図示されていないメモリに記憶されたソフトウェアを実行することによりＣＰＵの機能として実現される。これらは、例えば複数のＣＰＵが連携して実現されてもよい。なお、制御部１０１、時計部１０２、第１、第２の経過時間カウンタ１０９，１１０は、当該動作をハードウェアの電気回路で実現する信号処理回路により実現されてもよい。ソフトウェアの制御部１０１、時計部１０２、第１、第２の経過時間カウンタ１０９，１１０と、ハードウェアの制御部１０１、時計部１０２、第１、第２の経過時間カウンタ１０９，１１０とを合わせた概念として、「部」という語に代えて「処理回路」もしくは「モジュール」という語を用いることもできる。
【００１４】
図２は、表示部１０８の表示画面２００を示す図である。図２は、表示画面２００に２つの静止画像のコンテンツ（第１、第２の画像）およびテロップ（文字のコンテンツ）を表示する場合の例である。第１表示領域２０１には、第１の画像が表示される。第２表示領域２０２には、第２の画像が表示される。また、テロップ表示領域２０３にはテロップが表示される。
【００１５】
図３は、映像表示装置１００が利用するスケジュールファイルの内容を示す図である。スケジュールファイルは、表示画面２００に表示する画像、表示位置、表示サイズ、表示する時刻などを指定する。
【００１６】
スケジュールファイルには、表示情報３００および表示情報３００に基づく表示を開始する開始時刻および終了する終了時刻（開始・終了時刻３０１）が記載されている。表示情報３００は、第１表示領域２０１に関する表示情報（第１表示領域表示情報３１０）、第２表示領域２０２に関する設定（第２表示領域表示情報３２０）、テロップ表示領域２０３に関する表示情報（テロップ表示情報３３０）を含む。
【００１７】
第１表示領域表示情報３１０は、第１表示領域２０１に表示する画像ファイル名３１１（第１の画像のファイル名）、第１の画像を表示する位置（表示位置３１２）、第１の画像の表示サイズ３１３、第１の画像の１回あたりの移動量３１４、第１の画像を移動させる移動周期（移動周期３１５）から構成される。
【００１８】
第２表示領域表示情報３２０は、第２表示領域２０２に表示する画像ファイル名３２１（第２の画像のファイル名）、第２の画像を表示する位置（表示位置３２２）、第２の画像の表示サイズ３２３、第１の画像の１回あたりの移動量３２４、第１の画像の移動を行う移動周期（移動周期３２５）から構成される。
【００１９】
テロップ表示情報３３０は、テロップ表示領域２０３に表示する文字列（テロップ文字列３３１）を含む。
【００２０】
＜動作＞
図４は、映像表示装置１００の動作を示すフローチャートである。まず、制御部１０１は、電源が投入されると時計部１０２から現在の時刻を取得する。そして、制御部１０１は、記憶媒体インターフェース１０５を介して記憶媒体１０６に保存されているスケジュールファイルを読み込む（ステップＳ０１）。スケジュールファイルには、図３において説明したように表示情報３００が含まれている。表示情報３００はＸＭＬ形式で記述されることが一般的である。なお、スケジュールファイルはネットワークインターフェース１０３を介してネットワーク上のサーバーから読み込んでもよい。
【００２１】
次に、ステップＳ０２において、制御部１０１は、第１表示領域表示情報３１０に含まれる画像ファイル名３１１を参照する。本実施形態では、画像ファイル名３１１として、第１の画像のファイル名が記載されている。従って、制御部１０１は記憶媒体１０６から第１の画像のファイルを読み込む。また、制御部１０１は、第２表示領域表示情報３２０に含まれる画像ファイル名３２１を参照する。本実施形態では、画像ファイル名３２１として、第２の画像のファイル名が記載されている。従って、制御部１０１は記憶媒体１０６から第２の画像のファイルを読み込む。なお、画像のファイルはネットワークインターフェース１０３を介してネットワーク上のサーバーから読み込んでもよい。
【００２２】
制御部１０１は、時計部１０２から取得した現在の時刻と、開始・終了時刻３０１に記載された開始時刻とを比較して、現在の時刻が開始時刻かどうかを判定する（ステップＳ０３）。
【００２３】
現在の時刻が開始時刻である場合、制御部１０１は、第１、第２の経過時間カウンタ１０９，１１０に対してカウントを開始させる。それと同時に制御部１０１は、表示部１０８の表示画面２００に第１、第２の画像およびテロップを表示する（ステップＳ０４）。つまり、第１の画像は、表示位置３１２および表示サイズ３１３に従って位置およびサイズを調整されて、第１表示領域２０１に対応するビデオメモリー１０７のアドレスに描画される。第２の画像も同様に、表示位置３２２および表示サイズ３２３に従って位置およびサイズを調整されて、第２表示領域２０２に対応するビデオメモリー１０７のアドレスに描画される。
【００２４】
さらに、制御部１０１は、テロップ文字列３３１をビデオメモリー１０７のテロップ表示領域２０３に対応するアドレスに描画する。制御部１０１は任意または固定時間でテロップ文字列３３１のテロップ表示領域２０３上の描画開始位置を左方向に移動する。よって、テロップ表示領域２０３に表示されるテロップ文字列３３１は右から左（図２の−ｘ方向）に流れるように見える。
【００２５】
制御部１０１は、現在時刻が、表示情報３００の開始・終了時刻３０１の終了時刻に到達するまで第１、第２の表示領域２０１，２０２およびテロップ表示領域２０３の表示を継続する。
【００２６】
ステップＳ０５において、制御部１０１は、第１の経過時間カウンタ１０９のカウントが移動周期３１５を超えたかどうか判定を行う。移動周期３１５を超えたと判定された場合は、第１の経過時間カウンタ１０９のカウントをリセットするとともに、第１表示領域２０１を移動させる（ステップＳ０６）。具体的には、現在の第１表示領域２０１の位置を、任意の方向に移動量３１４分ずらして新しい第１表示領域２０１とする。
【００２７】
次に、ステップＳ０７において、制御部１０１は、第２の経過時間カウンタ１１０のカウントが移動周期３２５を超えたかどうか判定を行う。移動周期３２５を超えたと判定された場合は、第２の経過時間カウンタ１１０のカウントをリセットするとともに、第２表示領域２０２を移動させる（ステップＳ０８）。具体的には、現在の第２表示領域２０２の位置を任意の方向に移動量３２４分ずらして新しい第２表示領域２０２とする。
【００２８】
次に、制御部１０１は、時計部１０２から取得した現在の時刻と、開始・終了時刻３０１に記載された終了時刻とを比較して、現在の時刻が終了時刻を過ぎているかどうかを判定する（ステップＳ０９）。
【００２９】
現在の時刻が終了時刻を過ぎている場合、映像表示装置１００は動作を終了する。現在の時刻が終了時刻を過ぎていない場合は、前述したステップＳ０５からステップＳ０８の一連の動作を繰り返す。
【００３０】
図５（ａ），（ｂ），（ｃ），（ｄ）は、表示画面２００に表示する画像（第１、第２の画像）の移動例を説明する図である。図５（ａ）〜（ｄ）において移動前の第１、第２表示領域２０１，２０２を破線で表す。移動後の第１、第２表示領域２０１，２０２を実線で表す。まず、第１の画像の移動について説明する。１回目の移動においては、図５（ａ）に示すように＋ｘ方向に移動量３１４分だけ第１表示領域２０１を移動させる。２回目の移動においては、図５（ｂ）に示すように−ｙ方向に移動量３１４分だけ第１表示領域２０１を移動させる。３回目の移動においては、図５（ｃ）に示すように−ｘ方向に移動量３１４分だけ第１表示領域２０１を移動させる。４回目の移動においては、図５（ｄ）に示すように＋ｙ方向に移動量３１４分だけ第１表示領域２０１を移動させる。以降はこの一連の移動動作を繰り返す。
【００３１】
次に、第２の画像の移動について説明する。第２の画像の１回目の移動においては、図５（ａ）に示すように−ｙ方向に移動量３２４分だけ第２表示領域２０２を移動させる。２回目の移動においては、図５（ｂ）に示すように−ｙ方向に移動量３２４分だけ第２表示領域２０２を移動させる。３回目の移動においては、図５（ｃ）に示すように−ｙ方向に移動量３２４分だけ第２表示領域２０２を移動させる。４回目の移動においては、図５（ｄ）に示すように＋ｙ方向に移動量３２４分だけ第２表示領域２０２を移動させる。４回目で移動する方向を逆に変えるのは、第２表示領域２０２が表示画面２００外に出るのを防ぐためである。以降はこの一連の移動動作を繰り返す。
【００３２】
このように、本実施形態の映像表示装置１００においては、第１表示領域２０１と第２表示領域２０２のそれぞれにおいて、画像の移動量および移動周期を独立して設定することができる。なお、テロップ表示領域２０３は文字列が定期的に移動しているため残像軽減のために表示領域を移動させる必要はない。また、例えば、第２表示領域２０２に映像コンテンツ（動画）を表示する場合も残像軽減のために第２表示領域２０２を移動させる必要はない。
【００３３】
なお、本実施形態における映像表示装置１００において、画像ファイルの更新頻度が高い場合は、その画像を表示する表示領域の移動を行わないようにする。例えば、制御部１０１は、過去の一定時間における第１、第２の画像ファイルの更新頻度を算出し、例えば第１の画像ファイルの更新頻度が予め定めた値よりも大きい場合、第１表示領域２０１に対して移動を行わないようにする。
【００３４】
また、本実施形態において、画像のコントラストに応じて画像の移動量、移動周期を変更してもよい。制御部１０１は、図４のステップＳ０２において第１、第２の画像ファイルを読み込んだときに、第１、第２の画像からコントラストを検出する。そして、例えば、第１の画像から検出したコントラストの値が予め定めた値よりも小さい場合、第１表示領域２０１に対する移動量３１４の値を半分の大きさに変更する。
【００３５】
また、第１、第２表示領域２０１，２０２の移動を繰り返す過程において表示領域が互いに重なってしまう場合および表示領域が表示画面２００外に出てしまう場合は、表示領域の位置をスケジュールファイルにおいて設定された表示位置３１２，３２２に戻す。また、第１、第２表示領域２０１，２０２に対して予め移動範囲を決めておき、第１、第２表示領域２０１，２０２が移動範囲を超えた場合に、表示領域の位置をスケジュールファイルにおいて設定された表示位置３１２，３２２に戻してもよい。
【００３６】
なお、表示領域は、図５（ａ）〜（ｂ）において示したように水平または垂直方向に順に移動するのではなく、ランダムな方向に移動させてもよい。
【００３７】
なお、第１、第２の経過時間カウンタ１０９，１１０は経過時間（秒数）を計数するだけでよいためソフトウェアで容易に実現できる。つまり、専用のハードウエアを追加する必要がない。また、画像表示領域が増えた場合に経過時間カウンタを増やすことも容易である。
【００３８】
ビデオメモリー１０７の出力を例えばＨＤＭＩ（登録商標）などのインターフェースにすれば、表示部１０８は制御部１０１などと同一の筐体内にある必要はなく、ディスプレイモニタのように独立したものでも良い。
【００３９】
なお、本実施形態ではコンテンツの表示位置を時間的に変化させたが、コンテンツの表示サイズを時間的に変化させてもよい。
【００４０】
＜効果＞
本発明の実施形態における映像表示装置１００は、表示部１０８と、表示部１０８を制御する制御部１０１と、を備え、制御部１０１の制御の下で、電子広告の複数のコンテンツを表示部１０８の異なる位置に同時に表示させることが可能な映像表示装置１００であって、個々のコンテンツに対して、コンテンツの表示位置を時間的に変更するか否かを表示情報として設定可能であり、制御部１０１は、コンテンツを表示部１０８に表示させるにあたり、コンテンツに設定された表示情報３００を参照して表示部の制御を行う。
【００４１】
従って、映像表示装置１００によれば、個々のコンテンツに対してコンテンツの表示位置を時間的に変更する制御を行うことが可能である。個々のコンテンツに対して移動量を任意に設定することができるため、画面全体を一律に移動させる場合と比較して、コンテンツが画面外に出てコンテンツの一部が欠けて表示されることを抑制することが可能である。例えば、視認性の低下を抑えたいコンテンツに対しては移動量を小さく設定し、画面に残像が残り易いコンテンツに対しては移動量を大きく設定するなど、コンテンツの性質に応じて移動量を設定することが可能である。また、画像、動画、文字のコンテンツを同時に表示する場合、例えば、画像のコンテンツに対しては表示位置を時間的に変更する制御を行う一方で、残像の影響が小さい映像のコンテンツおよび文字テロップを流す文字のコンテンツに対しては表示位置を変更しないように設定することで画面全体として、視聴者に与える違和感を少なくするとともに、コンテンツの視認性の低下を抑えることが可能である。
【００４２】
また、映像表示装置１００は、電子広告を表示する機能を有する従来の映像装置の画像表示位置可変機能と表示サイズ可変機能を組み合わせて使用することにより実現できるので、新たにハードウェアを追加しなくても実現することができる。
【００４３】
また、本発明の実施形態における映像表示装置１００において、個々のコンテンツに対して、コンテンツの表示位置およびコンテンツの表示サイズを時間的に変更するか否かを表示情報として設定可能である。
【００４４】
従って、コンテンツの表示位置だけでなく、コンテンツの表示サイズを時間的に変化させることによっても表示画面に対して残像の影響を抑制する効果を得ることが可能である。
【００４５】
また、本発明の実施形態における映像表示装置１００において、表示情報には、コンテンツの表示位置を時間的に変更する移動周期および一度の表示位置の変更あたりの移動量が含まれる。
【００４６】
従って、映像表示装置１００の制御部は、コンテンツごとに設定された移動周期および移動量を参照して、コンテンツの制御を行うことが可能である。
【００４７】
また、本発明の実施形態における映像表示装置１００において、制御部１０１は、コンテンツが静止画像のコンテンツである場合、コンテンツからコントラストを検出し、コントラストの値に応じて、コンテンツに設定された表示情報に含まれる移動周期または移動量を変更する。
【００４８】
従って、映像表示装置１００は、コンテンツのコントラストに基づいて、コンテンツに設定された移動周期または移動量を自動的に変更する。例えば、コントラストが高いコンテンツに対しては移動量を大きくして残像の影響をより抑制するとともに、コントラストが低いコンテンツに対しては、移動量を小さくして視認性を向上させることが可能である。
【００４９】
また、本発明の実施形態における映像表示装置１００において、制御部１０１は、コンテンツの更新頻度に基づいてコンテンツに設定された表示情報に含まれる移動周期または移動量を変更する。
【００５０】
従って、映像表示装置１００は、コンテンツの更新頻度に基づいて、コンテンツに設定された移動周期または移動量を自動的に変更する。例えば、更新頻度が高いコンテンツは表示画面に対する残像の影響が小さいため、そのようなコンテンツは移動量を小さくして視認性を向上させることが可能である。
【００５１】
また、本発明の実施形態における映像表示装置１００において、複数のコンテンツは、静止画像のコンテンツ、映像のコンテンツ、文字のコンテンツのいずれかを含む。
【００５２】
映像表示装置１００によれば、個々のコンテンツに対してコンテンツの表示位置を時間的に変更する制御を行うことが可能である。よって、複数種類のコンテンツを同時に表示する場合であっても、静止画像のコンテンツは表示位置を時間的に変化させ、映像のコンテンツおよび文字のコンテンツに対しては表示位置を時間的に変化させないなどの制御が可能である。
【００５３】
また、本発明の実施形態における映像表示装置１００において、制御部１０１は、静止画像のコンテンツに対してのみ、コンテンツの表示位置を時間的に変更する制御を行う。
【００５４】
従って、表示画面に対する残像の影響が大きい静止画像のコンテンツに対してのみ、表示位置を時間的に変更する制御を行い、残像の影響が小さい映像のコンテンツおよび文字のコンテンツに対しては表示位置を時間的に変更する制御を行わないことにより、画面全体として視認性の低下を抑制することが可能である。
【００５５】
また、本発明の実施形態における映像表示装置１００は、記憶媒体インターフェース１０５をさらに備え、制御部１０１は、記憶媒体インターフェース１０５を介してコンテンツまたは表示情報を取得する。
【００５６】
従って、使用者は、映像表示装置１００に記憶媒体１０６を直接接続してコンテンツと表示情報を映像表示装置１００に入力することができる。
【００５７】
また、本発明の実施形態における映像表示装置１００は、ネットワークインターフェース１０３をさらに備え、制御部１０１は、ネットワークインターフェース１０３を介してコンテンツまたは表示情報を取得する。
【００５８】
従って、遠隔のサーバーにコンテンツと表示情報が記憶されている場合であっても、映像表示装置１００は、ネットワークを介してコンテンツと表示情報を取得することが可能である。
【００５９】
なお、本発明は、その発明の範囲内において、実施の形態を適宜、変形、省略することが可能である。
【符号の説明】
【００６０】
１０１  制御部、１０２  時計部、１０３  ネットワークインターフェース、１０５  記憶媒体インターフェース、１０６  記憶媒体、１０７  ビデオメモリー、１０８  表示部、１０９  第１の経過時間カウンタ、１１０  第２の経過時間カウンタ、２００  表示画面、２０１  第１表示領域、２０２  第２表示領域、２０３  テロップ表示領域、３００  表示情報、３０１  開始・終了時刻、３１０  第１表示領域表示情報、３１１，３２１  画像ファイル名、３１２，３２２  表示位置、３１３，３２３  表示サイズ、３１４，３２４  移動量、３１５，３２５  移動周期、３２０  第２表示領域表示情報、３３０  テロップ表示情報、３３１  テロップ文字列。
【図１】
0006489913.tif 000002
【図２】
0006489913.tif 000003
【図３】
0006489913.tif 000004
【図４】
0006489913.tif 000005
【図５】
0006489913.tif 000006